(57)【特許請求の範囲】
【請求項１】
送信すべきデータを示す信号から変調信号を生成する信号生成部と、
前記変調信号の周波数を、中間周波数に変換する周波数変換部と、
前記中間周波数に変換された前記変調信号をアナログ信号に変換する信号変換部と、
前記信号変換部による前記変換の際に前記信号変換部のサンプリング周波数の整数倍毎の周波数の上下に前記中間周波数だけ離間して現れるイメージ成分のうち、特定の周波数帯域に属するイメージ成分を濾波するフィルタと、
前記フィルタにより濾波された前記イメージ成分を増幅する信号増幅部と、
前記信号増幅部で増幅された前記イメージ成分を送信する送信部と
を備える無線回路であって、
前記特定の周波数帯域に属するイメージ成分は、前記中間周波数に変換された前記変調信号の位相と逆位相の関係にあり、
前記無線回路は、さらに、
前記信号変換部による前記変換に先立って、前記中間周波数に変換された前記変調信号の位相を反転する位相反転部を備える
ことを特徴とする無線回路。
【請求項２】
前記特定の周波数帯域に属するイメージ成分の周波数を第１周波数とし、
前記中間周波数は、
前記第１周波数と、前記サンプリング周波数の整数倍であって前記第１周波数に最も近い第２周波数との差分値である
ことを特徴とする請求項１に記載の無線回路。
【請求項３】
前記無線回路は、さらに、
前記信号変換部による前記変換に先立って、前記特定の周波数帯域に属するイメージ成分についての振幅歪みが平坦となるよう、前記イメージ成分に対して補完を施す補完部を備える
ことを特徴とする請求項２に記載の無線回路。
【請求項４】
前記無線回路は、無線通信を行う無線送受信機に備えられる
ことを特徴とする請求項１から３の何れかに記載の無線回路。
【請求項５】
１以上の照明器具と、前記１以上の照明器具を無線により制御する制御装置とからなる
照明制御システムであって、
前記制御装置は、
照明器具の制御に係る制御信号から変調信号を生成する信号生成部と、
前記変調信号の周波数を、中間周波数に変換する周波数変換部と、
前記中間周波数に変換された前記変調信号をアナログ信号に変換する信号変換部と、
前記信号変換部による前記変換の際に前記信号変換部のサンプリング周波数の整数倍毎の周波数の上下に前記中間周波数だけ離間して現れるイメージ成分のうち、特定の周波数帯域に属するイメージ成分を濾波するフィルタと、
前記フィルタにより濾波された前記イメージ成分を増幅する信号増幅部と、
前記信号増幅部で増幅された前記イメージ成分を送信する送信部とを備え、
前記１以上の照明器具のそれぞれは、
前記イメージ成分を受信し、受信したイメージ成分を復調して前記制御信号を生成し、生成した前記制御信号に基づいて、照明の制御を行い、
前記特定の周波数帯域に属するイメージ成分は、前記中間周波数に変換された前記変調信号の位相と逆位相の関係にあり、
前記制御装置は、さらに、
前記信号変換部による前記変換に先立って、前記中間周波数に変換された前記変調信号の位相を反転する位相反転部を備える
ことを特徴とする照明制御システム。
【発明の詳細な説明】
【技術分野】
【０００１】
本発明は、無線通信、特に特定の周波数を有する信号を生成する技術に関する。
【背景技術】
【０００２】
従来、無線通信においては、様々な変調方式が存在する。例えば、直接直交変調方式やVCO（Ｖｏｌｔａｇｅ  Ｃｏｎｔｒｏｌｌｅｄ  Ｏｓｃｉｌｌａｔｏｒ）直接変調方式である。
直接直交変調方式では、モジュレータでＩ（Ｉｎ−ｐｈａｓｅ）信号（同相信号）と、Ｉ信号と位相が９０度異なるＱ（Ｑｕａｄｒａｔｕｒｅ）信号（直交信号）とを生成し、これらの信号についてデジタル・アナログ変換回路（ＤＡＣ：Ｄｉｇｉｔａｌ  ｔｏ  Ａｎａｇｌｏｇ  Ｃｏｎｖｅｒｔｅｒ）によりデジタル信号をアナログ信号に変換するとともに不要な成分を除去して、直交変換を行うものである。直交変換を行う際に、ＰＬＬ（Ｐｈａｓｅ−ｌｏｃｋｅｄ  ｌｏｏｐ）及びＶＣＯを含むシンセサイザにより、各信号（Ｉ信号、Ｑ信号）についての高周波の信号が生成される。
【０００３】
また、図１２は、ＶＣＯ直接変調方式を用いる無線回路２０００を示す。ＶＣＯ直接変調方式を用いる無線回路２０００では、先ずモジュレータ２００１でＩ信号を生成する。ＰＬＬ２０１０及びＶＣＯ２０１１を有するシンセサイザ２００２が、生成されたＩ信号を高周波の信号へと変換し、その後、信号はパワーアンプ（ＰＡ）２００３及びローパスフィルタ（ＬＰＦ）２００４により信号レベルが増幅され、不要な雑音が除去され、送信がなされる（特許文献１参照）。
【先行技術文献】
【特許文献】
【０００４】
【特許文献１】特開２００５−９４１９３号公報
【発明の概要】
【発明が解決しようとする課題】
【０００５】
上記何れの方式においてもシンセサイザは必要である。無線回路においてシンセサイザが占める面積は非常に大きなものとなっており、例えば、無線回路２０００においてシンセサイザ２００２が占める割合は、図１３に示すようなものとなっている。そのため、無線回路の小型化を図る上で、大きな障害となっている。
そこで、本発明は、シンセサイザを用いないで送信すべき信号を生成し、小型化を図ることのできる無線回路及び照明制御システムを提供することを目的とする。
【課題を解決するための手段】
【０００６】
上記目的を達成するために、本発明は、無線回路であって、送信すべきデータを示す信号から変調信号を生成する信号生成部と、前記変調信号の周波数を、中間周波数に変換する周波数変換部と、前記中間周波数に変換された前記変調信号をアナログ信号に変換する信号変換部と、前記信号変換部による前記変換の際に前記信号変換部のサンプリング周波数の整数倍毎の周波数の上下に前記中間周波数だけ離間して現れるイメージ成分のうち、特定の高域周波数帯域に属するイメージ成分を濾波するフィルタと、前記フィルタにより濾波された前記イメージ成分を増幅する信号増幅部と、前記信号増幅部で増幅された前記イメージ成分を送信する送信部とを備えることを特徴とする。
【０００７】
ここで、前記特定の周波数帯域に属するイメージ成分の周波数を第１周波数とし、前記中間周波数は、前記第１周波数と、前記サンプリング周波数の整数倍であって前記第１周波数に最も近い第２周波数との差分値であるとしてもよい。
ここで、前記特定の周波数帯域に属するイメージ成分は、前記中間周波数に変換された前記変調信号の位相と逆位相の関係にあり、前記無線回路は、さらに、前記信号変換部による前記変換に先立って、前記中間周波数に変換された前記変調信号の位相を反転する位相反転部を備えるとしてもよい。
【０００８】
ここで、前記無線回路は、さらに、前記信号変換部による前記変換に先立って、前記一の周波数帯域に属するイメージ成分についての振幅歪みが平坦となるよう、前記イメージ成分に対して補完を施す補完部を備えるとしてもよい。
ここで、前記無線回路は、無線通信を行う無線送受信機に備えられるとしてもよい。
また、本発明は、１以上の照明器具と、前記１以上の照明器具を無線により制御する制御装置とからなる照明制御システムであって、前記制御装置は、照明器具の制御に係る制御信号から変調信号を生成する信号生成部と、前記変調信号の周波数を、中間周波数に変換する周波数変換部と、前記中間周波数に変換された前記変調信号をアナログ信号に変換する信号変換部と、前記信号変換部による前記変換の際に前記信号変換部のサンプリング周波数の整数倍毎の周波数の上下に前記中間周波数だけ離間して現れるイメージ成分のうち、特定の高域周波数帯域に属するイメージ成分を濾波するフィルタと、前記フィルタにより濾波された前記イメージ成分を増幅する信号増幅部と、前記信号増幅部で増幅された前記イメージ成分を送信する送信部とを備え、前記１以上の照明器具のそれぞれは、前記イメージ成分を受信し、受信したイメージ成分を復調して前記制御信号を生成し、生成した前記制御信号に基づいて、照明の制御を行うことを特徴とする。
【発明の効果】
【０００９】
上記の構成によると、無線回路は、イメージ成分を用いて送信すべき信号を生成するので、シンセサイザは不要となる。そのため、無線回路について小型化を図ることができる。
【図面の簡単な説明】
【００１０】
【図１】無線回路１の構成を示す図である。
【図２】ＤＡＣ１２から出力されるアナログ信号におけるＳｉｎｃ関数応答を説明する図である。
【図３】信号レベルの推移を説明する図である。
【図４】無線回路１の処理を示す流れ図である。
【図５】Ｓｉｎｃ関数応答における振幅及び位相を説明する図である。
【図６】中間周波数の信号の位相と、第７イメージ成分の位相との関係を説明する図である。
【図７】無線回路１ａの構成を示す図である。
【図８】無線回路１ｂの構成を示す図である。
【図９】振幅歪みの補正について説明する図である。
【図１０】送受信機１００の構成を示す図である。
【図１１】照明制御システム１０００の構成を示す図である。
【図１２】従来のＶＣＯ直接変調方式を用いた無線回路２０００の構成を示す図である。
【図１３】従来の無線回路においてシンセサイザが占める割合を説明する図である。
【発明を実施するための形態】
【００１１】
以下、本発明の一実施形態である無線回路１について、図面を参照しながら説明する。
１．実施の形態
１．１  構成
本発明の一実施形態である無線回路１は、シンセサイザを用いることなく、無線通信で用いるべき周波数を有する信号を生成し、出力するものである。
【００１２】
無線回路１は、図１に示すように、モジュレータ１０、周波数変換部１１、デジタル・アナログ変換回路（ＤＡＣ：Ｄｉｇｉｔａｌ  ｔｏ  Ａｎａｇｌｏｇ  Ｃｏｎｖｅｒｔｅｒ）１２、バンドパスフィルタ（ＢＰＦ：Ｂａｎｄ−ｐａｓｓ  ｆｉｌｔｅｒ）１３、信号増幅部１４、ローパスフィルタ（ＬＰＦ：Ｌｏｗ−ｐａｓｓ  ｆｉｌｔｅｒ）１５及びアンテナ１６から構成されている。
【００１３】
（１）モジュレータ１０
モジュレータ１０は、送信すべきデータの信号を変調して、デジタル信号である変調信号を生成するものである。
具体的には、モジュレータ１０は、送信すべきデータの信号を変調して、Ｉ信号（同相信号）と、Ｉ信号と位相が９０度異なるＱ信号（直交信号）とを生成する。ここでは、Ｉ信号とＱ信号との組を変調信号という。
【００１４】
（２）周波数変換部１１
周波数変換部１１は、モジュレータ１０で生成された変調信号の周波数を中間周波数へと変換するものであり、図１に示すように、直交変換部２１とＲＯＭテーブル２２とを有している。
ＲＯＭテーブル２２は、Ｉ信号及びＱ信号のそれぞれの周波数を中間周波数へと変換するための情報を格納している。
【００１５】
直交変換部２１は、モジュレータ１０で生成された変調信号を、ＲＯＭテーブル２２に格納されている情報に基づいて、変調信号の周波数を中間周波数へと変換する。具体的には、直交変換部２１は、ＲＯＭテーブル２２の情報に基づいてモジュレータ１０で生成されたＩ信号とＱ信号との周波数それぞれについて中間周波数へと変換し、中間周波数へと変換されたＩ信号及びＱ信号を加算することで、中間周波数（ＩＦ：Ｉｎｔｅｒｍｅｄｉａｔｅ  Ｆｒｅｑｕｅｎｃｙ）における変調信号の波形を得る。中間周波数の変調信号はＩＦ信号ともいう。
【００１６】
（３）ＤＡＣ１２
ＤＡＣ１２は、サンプリング周波数（ｆｓ：５０ＭＨｚ）に基づいて周波数変換部１１で得られた中間周波数を有する変調信号であるデジタル信号を、アナログ信号へと変換する回路である。ここで、サンプリング周波数（ｆｓ）とは、外部にある水晶発振子の周波数であり、この周波数でＤＡＣ１２は動作する。
【００１７】
通常、ＤＡＣ１２で変換されたアナログ信号を出力する際には、図２に示すように、中間周波数成分（信号帯域の成分：２０．１８７５ＭＨｚ）の他複数のイメージ成分（折り返し成分）と呼ばれる成分がアナログ信号に含まれている。なお、図２の横軸は、周波数領域（ｆ／ｆｓ）を示し、縦軸は、信号のゲイン（Ｇａｉｎ）示している。ここで、ｆは通常の周波数であり、ｆｓはサンプリング周波数である。
【００１８】
図２に示すように、複数のイメージ成分それぞれは、相異なる周波数成分である。ＤＡＣ１２で出力されるアナログ信号の波形は、矩形波となっているので、アナログ信号は、Ｓｉｎｃ関数（Ｓｉｎｃ（ｆ／ｆｓ））のインパルス応答（以下、Ｓｉｎｃ関数応答という。）による出力がされる。そのため、従来では、信号帯域の成分以外の成分については、不要な成分として除去され、必要な周波数成分についてのみに処理（増幅処理など）を施して無線通信で利用されるべき周波数を有する信号（ＲＦ信号：ＲａｄｉｏＦｒｅｑｕｅｎｓｙ）を生成し、送信している。しかしながら、本実施の形態では、この不要な成分であるイメージ成分を利用して、無線通信で利用されるべき周波数成分を取得し、取得した周波数成分の信号、つまりＲＦ信号を出力する。
【００１９】
ここで、ＤＡＣ１２で変換されたアナログ信号と、イメージ成分との関係を説明する。
イメージ成分は、ＤＡＣ１２で用いられるサンプリング周波数と、入力信号の乗算（ミキシング）によって生成される。例えば、入力信号を周波数変換部１１で生成された信号、つまりはデジタル領域で直交変換されたＩＦ信号とすると、そのイメージ成分は、サンプリング周波数のｍ倍（ｍは１以上の整数）の高調波との掛け算によって生成される。このとき、Ｓｉｎｃ関数応答により、第２ｍイメージ成分と第２ｍ−１イメージ成分とは互いに位相が逆の関係となっている。そして、ｍの値が奇数であるときは、第２ｍ−１と入力信号（つまりは変換されたアナログ信号）とが同じ位相となる。また、ｍの値が偶数であるときは、第２ｍと入力信号（つまりは変換されたアナログ信号）とが同じ位相となる。つまり、図２に示すイメージ成分のうち破線で示されるイメージ成分それぞれと、ＩＦ信号とは互いに位相が逆の関係となっている。他のイメージ成分と、ＩＦ信号とは同じ位相の関係となっている。例えば、第１７（＝２×９−１）イメージ成分の位相は、ｍの値が奇数（９）であるので、入力信号と同じ位相となっている。
【００２０】
（４）ＢＰＦ１３
ＢＰＦ１３は、ＤＡＣ１２から出力されたアナログ信号における複数の周波数成分のうち必要とする周波数成分のみを濾波するものである。
以下、図２を用いて具体的に説明する。
特定省電力無線規格ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）−Ｔ６７では、４２９．８１２５ＭＨｚから４２９．９１２５ＭＨｚまでの高域周波数帯域が無線通信の利用可能な帯域として割り当てられている。
【００２１】
図２に示すように、サンプリング周波数を５０ＭＨｚとした場合、９倍のサンプリング周波数（４５０ＭＨｚ）が上記の周波数帯に近い周波数となる。そうすると、ＢＰＦ１３は、図２に示す複数のイメージ成分のうち第１７イメージ成分を濾波すれば、無線通信として許可された周波数の信号を得ることができる。
通常、中間周波数に応じて、各イメージ成分の周波数が異なってしまう。そのため、第１７イメージ成分の周波数が無線通信として許可された周波数となるよう、中間周波数を決定する必要がある。例えば、４２９．８１２５ＭＨｚから４２９．９１２５ＭＨｚまでの高域周波数帯域のうち送信に用いたい周波数、つまり第１７イメージ成分の周波数を４２９．８１２５ＭＨｚとすると、中間周波数は、９倍のサンプリング周波数（４５０ＭＨｚ）と第１７イメージ成分との差分となる。なぜなら、送信帯域の信号（ここでは、中間周波数の信号）と、複数のイメージ信号は、Ｓｉｎｃ関数応答によりＮＵＬＬとなる位置（ここでは、サンプル周波数の整数倍）を対称軸として、左右対称となる位置に存在するためである。
【００２２】
従って、周波数変換部１１で中間周波数が２０．１８７５ＭＨｚ（＝４５０ＭＨｚ  −  ４２９．８１２５ＭＨｚ）となるよう変調信号の周波数を変換し、ＢＰＦ１３では、高域周波数帯域（４２９．８１２５ＭＨｚから４２９．９１２５ＭＨｚまでの範囲）に属する４２９．８１２５ＭＨｚのイメージ成分を選択的に透過するよう濾波すれば、無線通信として許可された周波数の信号が得られる。
【００２３】
（５）信号増幅部１４
信号増幅部１４は、図１に示すように、ドライバアンプ（ＤＲＶ）２３とパワーアンプ（ＰＡ）２４と有しており、これらアンプを用いて、ＢＰＦ１３で得られたイメージ成分を有するアナログ信号の送信レベルを所定のレベルまで増幅する。
ここで、具体例を用いて説明する。
【００２４】
図３は、ＤＡＣ１２へ入力される信号レベル及び雑音レベルそれぞれが、信号増幅部１４で増幅された結果を示すものである。
図３に示す例では、ＤＡＣ１２へ入力される信号レベルを４ｄＢｍとする。この信号が、ＤＡＣ１２によりアナログ信号へと変換され、出力時の第１７イメージ成分のレベルは、Ｓｉｎｃ関数応答により、入力信号のレベルよりも３３ｄＢ低い、−２９ｄＢｍとなる。また、アナログ信号へ変換する際に生じる雑音レベルの一種である量子化雑音レベルはＤＡＣ１２のビット分解能を８ビットとすれば理論的にＳＮ（ｓｉｇｎａｌ−ｎｏｉｓｅ  ｒａｔｉｏ）約５０ｄＢが実現できるため、入力される信号レベルよりも５０ｄＢｍ低い。入力信号レベルを４ｄＢｍとしているため、ここでは、−４６ｄＢｍである。この量子化雑音レベルも、Ｓｉｎｃ関数応答により、３３ｄＢ低いものとなる。つまり、ＤＡＣ１２から出力される量子化雑音のレベルは、７９ｄＢｍとなる。また、他の雑音レベルである熱雑音レベルは、−１３４ｄＢｍである。これは、第１７イメージ成分のレベルよりも５５ｄＢ低いものとなっており、信号のＳＮには関与しない、無視できるものである。
【００２５】
以上により、信号増幅部１４に入力されるアナログ信号の信号レベル（第１７イメージ成分の信号レベル）は、−２９ｄＢｍとなる。規格では送信出力のレベルが１０ｄＢｍまでとされているので、信号増幅部１４で求められる利得は、３９ｄＢとなる。そこで、ＤＲＶ２３での利得を２９ｄＢ、ＰＡ２４での利得を１０とすることで、送信される信号のレベルが１０ｄＢとなる。このとき、ＤＡＣ１２から出力された量子化雑音の量子化雑音レベル（―７９ｄＢｍ）も信号増幅部１４で増幅され、増幅後のレベルは−４０ｄＢとなる。規格では１２．５ｋＨｚ離調の±４．２５ｋＨｚの帯域の漏洩電力が４０ｄＢ以下となっており、送信出力のレベルが１０ｄＢｍの場合、漏洩電力は−３０ｄＢｍ以下に抑圧されていなければならない。量子化雑音の増幅後のレベル−４０ｄＢｍは、この規定を満たしている。
【００２６】
（６）ＬＰＦ１５
ＬＰＦ１５は、信号増幅部１４から出力された信号に含まれる雑音を除去するものである。
雑音が除去された信号は、アンテナ１６を介して外部へ送信されることとなる。
１．２  動作
ここでは、無線回路１の動作について図４に示す流れ図を用いて説明する。
【００２７】
無線回路１は、モジュレータ１０により、送信すべきデータの信号を変調して、Ｉ信号とＱ信号とを生成する（ステップＳ５）。
無線回路１は、周波数変換部１１により、モジュレータ１０で生成された変調信号（Ｉ信号、Ｑ信号）の周波数を、中間周波数へ変換する（ステップＳ１０）。
無線回路１は、ＤＡＣ１２により、中間周波数の変調信号を、アナログ信号へと変換する（ステップＳ１５）。
【００２８】
無線回路１は、ＢＰＦ１３により、ＤＡＣ１２がアナログ信号を衆力する際に生じる複数の互いに異なる周波数をもつイメージ成分のうち、特定のイメージ成分（ここでは、第１７イメージ成分）を濾波する（ステップＳ２０）。
無線回路１は、信号増幅部１４により、濾波されたイメージ成分の信号レベルを、許容された信号レベルとなるよう増幅する（ステップＳ２５）。
【００２９】
無線回路１は、ＬＰＦ１５により、増幅された信号の雑音を除去し、アンテナ１６を介して信号送信を行う（ステップＳ３０）。
２．変形例
上記実施の形態において、本発明の実施の手法について説明してきたが、本発明の実施形態がこれらに限られないことは勿論である。以下、上記実施の形態以外に本発明として含まれる各種の変形例について説明する。
【００３０】
２．１  第１の変形例
ＤＡＣ１２でのＳｉｎｃ関数応答は、図５のように、位相が反転する領域（第２、第３、第６、第７イメージ成分、）が存在する。
例えば、第７イメージ成分を用いて信号を送信する場合、本来送信に利用すべき信号の位相と、第７イメージ成分の位相とは逆位相の関係となる。そのため、送信側で１０１０１０の信号を送信する場合、受信側では１０１０１０の順序で信号が受信されることを期待しているため、図６のように１シンボル分開始ポイントを誤って同期してしまう。
【００３１】
（１）構成
上記にて示す誤同期を防ぐために、図７に示すように、本変形例の無線回路１ａでは、上記実施の形態の無線回路１の構成要素に加えて、位相反転部３０を備えることで、上記の問題を解消する。
位相反転部３０は、周波数変換部１１とＤＡＣ１２との間に設けられ、周波数変換部１１で出力される信号の位相を反転するものである。
【００３２】
これにより、ＤＡＣ１２から出力される第７イメージ成分の位相は、位相反転部３０を用いない場合の位相とは逆位相の関係となっているので、受信側では１シンボル分開始ポイントを誤って同期することはない。
（２）動作
無線回路１ａの動作は、図４にて示す流れ図において、ステップＳ１０とステップＳ１５との間に、以下に示すステップＳ１１を追加することで、実現できる。
【００３３】
ステップＳ１１は、位相反転部３０がステップＳ１０で生成された中間周波数の変調信号の位相を反転するステップである。
２．２  第２の変形例
通常、イメージ成分では、Ｓｉｎｃ関数応答による振幅歪みが生じている。振幅歪みは、広帯域信号においては、エラー発生率が高くなるといった影響を与える。
【００３４】
上記実施の形態では、イメージ成分を利用しているため、振幅歪みによる影響を少なくするため、利用するイメージ成分に対して補正を行う必要がある。
（１）構成
上記の補正を行うために、図８に示すように、本変形例の無線回路１ｂでは、上記実施の形態で示す無線回路１の構成要素に加えて、周波数変換部１１とＤＡＣ１２との間に補正フィルタ４０を設けている。
【００３５】
補正フィルタ４０は、利用するイメージ成分における振幅歪みを平坦化するものである。具体的には、補正フィルタ４０は、πｘ／ｓｉｎ（πｘ）特性（補完係数）を信号に畳み込む。ＤＡＣ１２では、第２イメージ成分相当の周波数におけるＳｉｎｃ関数の値はｓｉｎ（πｘ）／πｘで示される。そこで、この値にπｘ／ｓｉｎ（πｘ）特性を畳み込むこと、つまりこの値とπｘ／ｓｉｎ（πｘ）特性を周波数領域（ｆ／ｆｓ）で乗算することにより、フラットな特性であることを示す値“１”を得ることができる。
【００３６】
図９において、第２イメージ成分に対する補正を示す。ここでは、中間周波数が１０ＭＨｚ、サンプリング周波数（ｆｓ）が５０ＭＨｚである。そうすると、第２イメージ成分の周波数は、６０（５０＋１０）となり、このときのｆ／ｆｓの値は、１．２となる。そして、信号がｆ／ｆｓ＝１．２±０．０１の帯域で通信がされている例である。
ｆ／ｆｓの値が１．１９である場合、Ｓｉｎｃ関数の値は、約−０．１５１であり、このときの補完係数は−６．６５となっている。そこで、これら値を乗算すると、おおよそ１となっている。また、ｆ／ｆｓの値が１．２である場合、Ｓｉｎｃ関数の値は、約−０．１５５８であり、このときの補完係数は−６．４となっている。この場合も乗算後の値は、おおよそ１となっている。
【００３７】
したがって、補正後の第２イメージ成分においては、補完係数を乗算することで振幅歪みが解消されていることが分かる。
（２）動作
無線回路１ｂの動作は、図４にて示す流れ図において、ステップＳ１０とステップＳ１５との間に、以下に示すステップＳ１２を追加することで、実現できる。
【００３８】
ステップＳ１２は、補正フィルタ４０がステップＳ１０で生成された中間周波数の変調信号において利用すべきイメージ成分に対する振幅歪み平坦化するステップである。
２．３その他の変形例
上記変形例の他、以下の変形例の本発明に含まれる。
（１）上記実施の形態、及び上記第１の変形例において、利用すべきイメージ成分は、中間周波数の信号と同相の成分又は逆相の成分の何れかと固定したが、これに限定されない。
【００３９】
送信処理を行うたびに、利用すべきイメージ成分を選択するものであってもよい。
この場合、図７で示す無線回路１ａの構成要素に加えて、以下のようにスイッチングする切替部を設ける。切替部は、中間周波数の信号と同相のイメージ成分が選択された場合には周波数変換部１１とＤＡＣ１２とを接続し、逆相のイメージ成分が選択された場合には、周波数変換部１１とＤＡＣ１２とを接続するよう、切り替えを行う。
【００４０】
（２）本発明は、上記実施の形態及び上記各変形例を組み合わせるものであってもよい。
３．第２の実施の形態
上記第１の実施の形態、及び上記各変形例では、信号の送信を行う無線回路について説明したが、ここでは、送受信を行う送受信機について説明する。
【００４１】
３．１  構成
本実施の形態の送受信機１００は、図１０に示すように、上記第１の実施の形態で示す無線回路１と、シンセサイザを用いることなく生成された信号を受信するサンプリング受信機２と、スイッチ３とを備える。
無線回路１については、第１の実施の形態において、既に説明しているので、個々での説明は省略する。
【００４２】
アンテナ１６は信号の送受信を行う。また、スイッチ３は、信号の送信時にはアンテナ１６と無線回路１とを接続し、信号の受信時にはアンテナ１６とサンプリング受信機２とを接続するよう切り替えを行う。
サンプリング受信機２は、復調部１１０、直交変換部１１１、ＢＰＦ１１２、１１４、アナログ・デジタル変換回路（ＡＤＣ：Ａｎａｇｌｏｇ  ｔｏ  Ｄｉｇｉｔａｌ  Ｃｏｎｖｅｒｔｅｒ）１１３、可変利得増幅器（ＰＧＡ：Ｐｒｏｇｒａｍｍａｂｌｅ  Ｇａｉｎ  Ａｍｐｌｉｆｉｅｒ）１１５、低雑音増幅器（ＬＮＡ：Ｌｏｗ  Ｎｏｉｓｅ  Ａｍｐｌｉｆｉｅｒ）１１６及びＬＰＦ１１７から構成される。この場合も、シンセサイザは不要となっている。
【００４３】
ＬＰＦ１１７は、アンテナ１６から受信した信号に含まれる雑音を除去するものである。
ＬＮＡ１１６は、受信した信号を増幅するものであって、低雑音の発生が少ないものである。
ＰＧＡ１１５は、後述するＡＤＣ１１３に入力される信号の振幅レベルが一定となるように、自動利得制御（ＡＧＣ：ａｕｔｏｍａｔｉｃ  ｇａｉｎ  ｃｏｎｔｒｏｌ）アルゴリズムと連動して動作するものである。
【００４４】
ＢＰＦ１１４は、復調すべき信号以外の不要な信号でＡＤＣ１１３が飽和しないように、復調すべき周波数の信号のみを濾波する。
ＡＤＣ１１３は、受信したアナログ信号をデジタル信号へと変換する回路である。ＡＤＣ１１３からデジタル信号が出力される際には、無線回路１のＤＡＣ１２の出力時と同様に、複数の互いに異なる周波数のイメージ成分が出力される。
【００４５】
ＢＰＦ１１２は、送信側で生成されたＩＦ信号の成分に対応するイメージ成分を濾波する。
直交変換部１１１は、濾波されたイメージ成分の信号をＩ成分及びＱ成分に分解する。そして、直交変換部１１１は、分解したＩ成分及びＱ成分に対してＲＯＭテーブル２２を用いて、波形整形されたＩ信号及びＱ信号を生成する。
【００４６】
復調部１１０は、Ｉ信号及びＱ信号を復調して、送信側で送信された元のデータを得る。
この構成により、送受信機１００は、シンセサイザを用いることなく信号の送信及び受信を行うことができる。
なお、本実施の形態において、送受信機１００には無線回路１が含まれるとしたが、これに限定されない。送受信機１００は、上記第１の変形例で示す無線回路１ｂ、第２の変形例で示す無線回路１ｂ、及びその他の変形例（１）で示す無線回路の何れかを備えるものであってもよい。何れの無線回路を用いても、サンプリング受信機２の構成には変更はない。
【００４７】
３．２  適用例
ここでは、送受信機１００の適用例について、図１１を説明する。
図１１は、送受信機１００を用いた照明制御システム１０００である。
照明制御システム１０００は、照明制御スイッチ１００１と蛍光灯器具１００２、１００３、１００４、１００５と電力線１００６とから構成されている。
【００４８】
照明制御スイッチ１００１は、送受信機１００ａ、及びスイッチ１０１０、１０１１、１０１２、１０１３から構成されている。
送受信機１００ａは、上述した送受信機１００と同様の構成であり、蛍光灯器具１００２から１００５に対して、ユーザの指示に応じて、電源のＯＮ／ＯＦＦ信号及び光の強弱を示す調光信号を送信する。また、送受信機１００ａは、蛍光灯器具１００２から１００５のそれぞれから送信された信号を受信する。蛍光灯器具から送信された信号とは、例えば、照明制御スイッチ１００１が送信した信号を正常に受信した旨を示す信号である。
【００４９】
スイッチ１０１０から１０１３それぞれは、蛍光灯器具１００２から１００５の一対一に対応している必要は無く、例えば、スイッチ１０１０は蛍光灯器具１００２〜１００５を一斉にＯＮ／Ｏｆｆ、スイッチ１０１１は蛍光灯器具１００２と１００３のみをＯＮ／ＯＦＦ、スイッチ１０１２は蛍光灯器具１００４と１００５のみをＯＮ／ＯＦＦ、スイッチ１０１３は蛍光灯器具１００２〜１００５をプレゼンテーションに最適な調光制御など、機能を制御するスイッチである。
【００５０】
蛍光灯器具１００２から１００５のそれぞれは、構成要素は同一であるので、ここでは、蛍光灯器具１００２について説明する。
蛍光灯器具１００２は、蛍光灯の他送受信機１００ｂを有する。
送受信機１００ｂは、上述した送受信機１００と同様の構成であり、照明制御スイッチ１００１から送信された信号を受信する。また、送受信機１００ｂは、照明制御スイッチ１００１から送信された信号を正常に受信した旨の信号を送信する。
【００５１】
電力線１００６は、蛍光灯器具１００２から１００５への電力の供給、及びスイッチ１０１０から１０１３のすくなくとも１つのスイッチの操作により指示される信号の送信に用いられる。
以上、説明したように、照明制御システム１０００では、ＯＮ／ＯＦＦ信号や調光信号を無線通信により、照明制御スイッチ１００１から蛍光灯器具１００２から１００５へ指示し、蛍光灯器具１００２から１００５を制御することができる。
【００５２】
電力そのものを切断（ＯＦＦ指示）又は出力の制御（調光）をスイッチで１０１０から１０１３で制御する場合、切断又は出力を制御する電力線に繋がる蛍光灯器具しか制御できない。
そこで、照明制御システム１０００のように、指示を無線通信で行うようにすることで、電力線１００６からの電力の供給はそのままで、蛍光灯器具１００２から１００５は、信号を無線で受信した装置側で電力をチョークすることができ、蛍光灯器具１００２から１００５のそれぞれ毎に細やかな制御が可能となる。
【００５３】
上記第１及び第２の実施の形態、各変形例及び本実施の形態における無線回路は、送信すべき信号の生成にシンセサイザを用いていない。そのため、従来のように、シンセサイザを搭載するための領域を確保する必要はないため、無線回路の小型化を実現することができる。
また、従来の蛍光灯器具のような照明機器にはインバータ制御用のマイコンが搭載されている。そこで、送受信機の無線回路を小型化することで、当該マイコンに集積することが可能となり、無線通信による照明制御が可能となる。
【００５４】
４．まとめ
以上、説明したように、各実施の形態及び各変形例で示す無線回路は、シンセサイザを用いないため図１３で示すシンセサイザの配置面積が不要となり、小型化を実現することができる。
５．補足
（１）本発明の一態様である、無線回路は、送信すべきデータを示す信号から変調信号を生成する信号生成部と、前記変調信号の周波数を、中間周波数に変換する周波数変換部と、前記中間周波数に変換された前記変調信号をアナログ信号に変換する信号変換部と、前記信号変換部による前記変換の際に前記信号変換部のサンプリング周波数の整数倍毎の周波数の上下に前記中間周波数だけ離間して現れるイメージ成分のうち、特定の高域周波数帯域に属するイメージ成分を濾波するフィルタと、前記フィルタにより濾波された前記イメージ成分を増幅する信号増幅部と、前記信号増幅部で増幅された前記イメージ成分を送信する送信部とを備えることを特徴とする。
【００５５】
この構成によると、無線回路は、特定の高域周波数帯に属するイメージ成分を用いて送信すべき信号を生成するので、シンセサイザは不要となる。そのため、無線回路について小型化を図ることができる。
（２）ここで、前記特定の周波数帯域に属するイメージ成分の周波数を第１周波数とし、前記中間周波数は、前記第１周波数と、前記サンプリング周波数の整数倍であって前記第１周波数に最も近い第２周波数との差分値であるとしてもよい。
【００５６】
この構成によると、無線回路は、濾波するイメージ成分の周波数を送信に用いるべき周波数帯の第１周波数とすることで、中間周波数を特定することができる。これにより、送信に用いるべき周波数が予め定められている場合、無線回路の製造段階で中間周波数を決定することでできるので、容易な設計が可能となる。
（３）ここで、前記特定の周波数帯域に属するイメージ成分は、前記中間周波数に変換された前記変調信号の位相と逆位相の関係にあり、前記無線回路は、さらに、前記信号変換部による前記変換に先立って、前記中間周波数に変換された前記変調信号の位相を反転する位相反転部を備えるとしてもよい。
【００５７】
この構成によると、無線回路は、濾波すべきイメージ成分の位相が変調信号の位相と逆の関係にある場合には、変調信号の位相を反転することで、信号の送信時の特定のイメージ成分の位相は、反転前の変調信号の位相と同相になる。そのため、受信側では、正しいタイミングで同期することができる。
（４）ここで、前記無線回路は、さらに、前記信号変換部による前記変換に先立って、前記一の周波数帯域に属するイメージ成分についての振幅歪みが平坦となるよう、前記イメージ成分に対して補完を施す補完部を備えるとしてもよい。
【００５８】
この構成によると、無線回路は、振幅歪みを補正することができるので、送信時には歪みがない状態の信号を送信することができる。
（５）ここで、前記無線回路は、無線通信を行う無線送受信機に備えられるとしてもよい。
この構成によると、無線回路を送受信機に用いることで、無線回路の小型化を図ることができる。
【００５９】
（６）また、本発明の一態様である、１以上の照明器具と、前記１以上の照明器具を無線により制御する制御装置とからなる照明制御システムは、前記制御装置が、照明器具の制御に係る制御信号から変調信号を生成する信号生成部と、前記変調信号の周波数を、中間周波数に変換する周波数変換部と、前記中間周波数に変換された前記変調信号をアナログ信号に変換する信号変換部と、前記信号変換部による前記変換の際に前記信号変換部のサンプリング周波数の整数倍毎の周波数の上下に前記中間周波数だけ離間して現れるイメージ成分のうち、特定の高域周波数帯域に属するイメージ成分を濾波するフィルタと、前記フィルタにより濾波された前記イメージ成分を増幅する信号増幅部と、前記信号増幅部で増幅された前記イメージ成分を送信する送信部とを備え、前記１以上の照明器具のそれぞれが、前記イメージ成分を受信し、受信したイメージ成分を復調して前記制御信号を生成し、生成した前記制御信号に基づいて、照明の制御を行うことを特徴とする。
【００６０】
この構成によると、照明制御システムの無線回路は、特定の高域周波数帯に属するイメージ成分を用いて送信すべき信号を生成するので、シンセサイザは不要となる。そのため、無線回路について小型化を図ることができ、さらには小型化した無線回路を照明器具に備えられた回路に組み込むことも可能となる。
【符号の説明】
【００６１】
１、１ａ、１ｂ    無線回路
２    サンプリング受信機
３    スイッチ
１０    モジュレータ
１１    周波数変換部
１２    デジタル・アナログ変換回路（ＤＡＣ）
１３、１１２、１１４    バンドパスフィルタ（ＢＰＦ）
１４    信号増幅部
１５、１１７    ローパスフィルタ（ＬＰＦ）
１６    アンテナ
２１    直交変換部
２２    ＲＯＭテーブル
２３    ドライバアンプ（ＤＲＶ）
２４    パワーアンプ（ＰＡ）
３０    位相反転部
４０    補正フィルタ
１００、１００ａ〜１００ｅ    送受信機
１１０    復調部
１１１    直交変換部
１１３    アナログ・デジタル変換回路（ＡＤＣ）
１１５    可変利得増幅器（ＰＧＡ）
１１６    低雑音増幅器（ＬＮＡ）
１０００    照明制御システム
１００１    照明制御スイッチ
１００２    蛍光灯器具
１００６    電力線
１０１０〜１０１３    スイッチ
【図１】
0005861084.tif 000002
【図２】
0005861084.tif 000003
【図３】
0005861084.tif 000004
【図４】
0005861084.tif 000005
【図５】
0005861084.tif 000006
【図６】
0005861084.tif 000007
【図７】
0005861084.tif 000008
【図８】
0005861084.tif 000009
【図９】
0005861084.tif 000010
【図１０】
0005861084.tif 000011
【図１１】
0005861084.tif 000012
【図１２】
0005861084.tif 000013
【図１３】
0005861084.tif 000014